(57)【要約】【課題】可撓性を有する放射線変換パネルの非撮影時での保管が容易であり、一方で、撮影時に前記放射線変換パネルの撮影面を容易に平面状にすることができる放射線検出装置及び放射線画像撮影システムを提供する。【解決手段】放射線検出カセッテ１０において、患者１８に対する放射線１４の非照射時（非撮影時）には、可撓性を有する放射線検出器を内蔵するスクリーン２８をロール状にして収納ボックス３０内に収納し、一方で、患者１８に対する放射線１４の照射時（撮影時）には、スクリーン２８を収納ボックス３０から引き出し、患者１８に対してスクリーン２８を上下方向に沿い平面状に展開する。【選択図】図２
2010075439.tif 000002
【特許請求の範囲】
【請求項１】
被写体を透過した放射線を検出して放射線画像情報に変換し、且つ、可撓性を有する放射線変換パネルと、
前記被写体に対する前記放射線の非照射時に、前記放射線変換パネルをロール状に収納する筐体と、
を有し、
前記被写体に前記放射線を照射する際に、ロール状の前記放射線変換パネルを前記筐体から引き出し、前記被写体に対して前記放射線変換パネルを平面状に展開することを特徴とする放射線検出装置。
【請求項２】
請求項１記載の装置において、
前記放射線変換パネルは、前記筐体にロール状に収納可能なスクリーンに内蔵され、
前記スクリーンの基端部は、前記筐体内に設けられた巻取軸に取り付けられ、
前記スクリーンの先端部は、前記筐体外に設けられたウェイトバーに取り付けられることを特徴とする放射線検出装置。
【請求項３】
請求項２記載の装置において、
前記ウェイトバーには、前記放射線変換パネルを駆動するバッテリが設けられていることを特徴とする放射線検出装置。
【請求項４】
請求項２又は３記載の装置において、
前記ウェイトバーには、前記放射線変換パネルを制御する制御部が設けられていることを特徴とする放射線検出装置。
【請求項５】
請求項２〜４のいずれか１項に記載の装置において、
前記ウェイトバーには、外部と無線通信が可能な無線通信手段が設けられていることを特徴とする放射線検出装置。
【請求項６】
請求項２〜５のいずれか１項に記載の装置において、
前記ウェイトバーには、外部との間で情報の送受信が可能なインターフェース手段が設けられていることを特徴とする放射線検出装置。
【請求項７】
請求項２〜６のいずれか１項に記載の装置において、
前記放射線検出装置は、放射線検出カセッテであり、
前記スクリーンは、前記放射線を透過させる材料からなることを特徴とする放射線検出装置。
【請求項８】
請求項１〜７のいずれか１項に記載の装置において、
前記放射線変換パネルは、前記放射線を可視光に変換するシンチレータと、前記可視光を電気信号に変換する固体検出素子と、前記固体検出素子から前記電気信号を読み出し、読み出した前記電気信号を前記放射線画像情報として取得する読出部とを有することを特徴とする放射線検出装置。
【請求項９】
請求項８記載の装置において、
前記被写体に対して、前記固体検出素子及び前記シンチレータの順に配置されているか、あるいは、前記シンチレータ及び前記固体検出素子の順に配置されていることを特徴とする放射線検出装置。
【請求項１０】
請求項１〜９のいずれか１項に記載の放射線検出装置と、前記放射線を出力する放射線源と、前記放射線源及び前記放射線検出装置を制御する制御装置とを有することを特徴とする放射線画像撮影システム。
【請求項１１】
請求項１０記載のシステムにおいて、
前記放射線検出装置は、前記放射線変換パネルにて変換された前記放射線画像情報を、無線通信により前記制御装置に送信することを特徴とする放射線画像撮影システム。
【発明の詳細な説明】
【技術分野】
【０００１】
本発明は、被写体を透過した放射線を検出し、検出した前記放射線を放射線画像情報に変換する放射線変換パネルを備えた放射線検出装置及び該放射線検出装置を有する放射線画像撮影システムに関する。
【背景技術】
【０００２】
医療分野において、被写体に放射線を照射し、該被写体を透過した前記放射線を放射線変換パネルに導いて放射線画像情報を撮影する放射線画像撮影システムが広汎に使用されている。前記放射線変換パネルとしては、前記放射線画像情報が露光記録される従来からの放射線フイルムや、蛍光体に前記放射線画像情報としての放射線エネルギを蓄積し、励起光を照射することで前記放射線画像情報を輝尽発光光として取り出すことのできる蓄積性蛍光体パネルが知られている。これらの放射線変換パネルは、前記放射線画像情報が記録された放射線フイルムを現像装置に供給して現像処理を行い、あるいは、前記蓄積性蛍光体パネルを読取装置に供給して読取処理を行うことで、可視画像を得ることができる。
【０００３】
一方、手術室等においては、患者に対して迅速且つ的確な処置を施すため、撮影後の放射線変換パネルから直ちに放射線画像情報を読み出して表示できることが必要である。このような要求に対応可能な放射線変換パネルとして、放射線を直接電気信号に変換し、あるいは、放射線をシンチレータで可視光に変換した後、電気信号に変換して読み出す固体検出素子を用いた放射線検出器が開発されている。
【０００４】
放射線検出器（放射線変換パネル）を収納する放射線検出装置に関し、特許文献１には、可撓性を有する放射線検出器を患者の表面形状に合わせて配置することが提案されている。
【０００５】
【特許文献１】特開２００３−７０７７６号公報
【発明の開示】
【発明が解決しようとする課題】
【０００６】
しかしながら、上述した放射線検出装置では、放射線変換パネルが可撓性を有するので、被写体に対する放射線の非照射時（非撮影時）での前記放射線変換パネルの保管が容易ではない。また、前記被写体に対する前記放射線の照射時（撮影時）には、前記放射線変換パネルの照射面（撮影面）を前記被写体に対して平面状にすることができない。
【０００７】
本発明は、前記の課題に鑑みなされたものであり、可撓性を有する放射線変換パネルの非撮影時での保管が容易であり、一方で、撮影時に前記放射線変換パネルの撮影面を容易に平面状にすることができる放射線検出装置及び放射線画像撮影システムを提供することを目的とする。
【課題を解決するための手段】
【０００８】
本発明は、放射線検出装置が、被写体を透過した放射線を検出して放射線画像情報に変換し且つ可撓性を有する放射線変換パネルと、前記被写体に対する前記放射線の非照射時に前記放射線変換パネルをロール状に収納する筐体とを有し、前記被写体に前記放射線を照射する際に、ロール状の前記放射線変換パネルを前記筐体から引き出し、前記被写体に対して前記放射線変換パネルを平面状に展開することを特徴としている。
【発明の効果】
【０００９】
本発明によれば、可撓性を有する放射線変換パネルを、非撮影時にはロール状にして筐体内に収納し、一方で、撮影時には前記放射線変換パネルを前記筐体から引き出し、被写体に対して前記放射線変換パネルを平面状に展開するので、前記放射線変換パネルの前記非撮影時での保管が容易になると共に、前記撮影時に前記放射線変換パネルの撮影面を容易に平面状にすることができる。
【発明を実施するための最良の形態】
【００１０】
図１は、本実施形態に係る放射線検出装置（以下、放射線検出カセッテともいう。）１０を適用した放射線画像撮影システム１２の構成ブロック図である。
【００１１】
放射線画像撮影システム１２は、撮影条件に従った線量からなる放射線１４を被写体としての患者１８に照射するための放射線源１６と、患者１８を透過した放射線１４を検出する放射線検出器（放射線変換パネル）４０を備える放射線検出カセッテ１０と、放射線検出器４０によって検出された放射線１４に基づく放射線画像情報を表示する表示装置２２と、放射線検出カセッテ１０、放射線源１６及び表示装置２２を制御するコンソール（制御装置）２０とを備える。コンソール２０と、放射線検出カセッテ１０、放射線源１６及び表示装置２２との間は、例えば、ＵＷＢ（Ｕｌｔｒａ  Ｗｉｄｅ  Ｂａｎｄ）、ＩＥＥＥ８０２．１１．ａ／ｇ／ｎ等の無線ＬＡＮ（Ｌｏｃａｌ  Ａｒｅａ  Ｎｅｔｗｏｒｋ）又はミリ波を用いた無線通信による信号の送受信が行われる。なお、コンソール２０には、病院内の放射線科において取り扱われる放射線画像情報やその他の情報を統括的に管理する放射線科情報システム（ＲＩＳ）２４が接続され、また、ＲＩＳ２４には、病院内の医事情報を統括的に管理する医事情報システム（ＨＩＳ）２６が接続される。
【００１２】
放射線検出カセッテ１０は、図２Ａ〜図３に示すように、外観上、ロールスクリーンの構造であり、放射線１４を透過させる材料からなり且つ可撓性を有するスクリーン２８の基端側は、収納ボックス（筐体）３０内に設けられた巻取軸３６に連結され、一方で、スクリーン２８の先端側は、ウェイトバー３９に連結されている。この場合、スクリーン２８は、患者１８に対する放射線１４の非照射時（非撮影時）には、巻取軸３６を中心にロール状に巻き取られた状態で収納ボックス３０に収納されるが（図２Ｂ参照）、一方で、患者１８に対する放射線１４の照射時（撮影時）には、ウェイトバー３９に設けられたハンドル３７を医師又は放射線技師が引き降ろすことにより、収納ボックス３０底部に設けられた溝３８から引き出され、患者１８に対して上下方向に沿い略平面状に配置される（図２Ａ及び図３参照）。
【００１３】
なお、放射線検出カセッテ１０は、図示しない支持部材を介して天井面に固定される天井吊り下げ式、あるいは、図示しない三脚を介して床面上に配置される立設式の構造を採用することができる。従って、図２Ａに示すように、本実施形態では、放射線源１６から立位状態の患者１８に放射線１４を照射することにより、撮影（立位撮影）が行われる。
【００１４】
スクリーン２８の内部には、患者１８による放射線１４の散乱線を除去するグリッド３４、患者１８を透過した放射線１４を検出する放射線検出器４０、及び、放射線１４のバック散乱線を吸収する鉛板４２が、患者１８側の照射面（撮影面）３２に対して順に配設される。なお、これらグリッド３４、放射線検出器４０及び鉛板４２も可撓性を有する。また、スクリーン２８の照射面３２をグリッド３４として構成してもよい。
【００１５】
図４に示すように、放射線検出器４０は、患者１８を透過した放射線１４を一旦可視光に変換するＧＯＳ（Ｇｄ2Ｏ2Ｓ）又はＣｓＩ等の蛍光体からなるシンチレータ７２と、薄膜トランジスタ（ＴＦＴ：Ｔｈｉｎ  Ｆｉｌｍ  Ｔｒａｎｓｉｓｔｏｒ）５２（図５参照）のアレイが形成され、放射線１４及び可視光を透過可能なＴＦＴ層７４と、アモルファスシリコン（ａ−Ｓｉ）等の物質からなる固体検出素子（以下、画素ともいう。）５０を用いて前記可視光を電気信号に変換する光電変換層７６とを、基板７１上に順に積層することにより形成される。
【００１６】
一方、ウェイトバー３９の内部には、図３に示すように、放射線検出カセッテ１０の電源であるバッテリ４４と、バッテリ４４から供給される電力により放射線検出器４０を駆動制御するカセッテ制御部４６と、放射線検出器４０によって検出した放射線１４の情報を含む信号をコンソール２０との間で送受信する送受信機（無線通信手段）４８とが収納される。なお、カセッテ制御部４６及び送受信機４８には、放射線１４が照射されることによる損傷を回避するため、ウェイトバー３９の照射面３２側に鉛板等を配設しておくことが好ましい。また、バッテリ４４は、放射線検出カセッテ１０内の放射線検出器４０、カセッテ制御部４６及び送受信機４８に電力を供給する。
【００１７】
図５は、放射線検出器４０の回路構成ブロック図である。放射線検出器４０は、可視光を電気信号に変換するａ−Ｓｉ等の物質からなる各画素５０が形成された光電変換層７６を、行列状のＴＦＴ５２のアレイ（ＴＦＴ層７４）の上に配置した構造を有する。この場合、各画素５０では、可視光を電気信号に変換することにより発生した電荷が蓄積され、各行毎にＴＦＴ５２を順次オンにすることにより前記電荷を画像信号として読み出すことができる。
【００１８】
各画素５０に接続されるＴＦＴ５２には、行方向と平行に延びるゲート線５４と、列方向と平行に延びる信号線５６とが接続される。各ゲート線５４は、ライン走査駆動部５８に接続され、各信号線５６は、マルチプレクサ６６に接続される。ゲート線５４には、行方向に配列されたＴＦＴ５２をオンオフ制御する制御信号Ｖｏｎ、Ｖｏｆｆがライン走査駆動部５８から供給される。この場合、ライン走査駆動部５８は、ゲート線５４を切り替える複数のスイッチＳＷ１と、スイッチＳＷ１の１つを選択する選択信号を出力するアドレスデコーダ６０とを備える。アドレスデコーダ６０には、カセッテ制御部４６からアドレス信号が供給される。
【００１９】
また、信号線５６には、列方向に配列されたＴＦＴ５２を介して各画素５０に保持されている電荷が流出する。この電荷は、増幅器６２によって増幅される。増幅器６２には、サンプルホールド回路６４を介してマルチプレクサ６６が接続される。マルチプレクサ６６は、信号線５６を切り替える複数のスイッチＳＷ２と、スイッチＳＷ２の１つを選択する選択信号を出力するアドレスデコーダ６８とを備える。アドレスデコーダ６８には、カセッテ制御部４６からアドレス信号が供給される。マルチプレクサ６６には、Ａ／Ｄ変換器７０が接続され、Ａ／Ｄ変換器７０によってデジタル信号に変換された放射線画像情報がカセッテ制御部４６に供給される。
【００２０】
従って、放射線検出器４０におけるライン走査駆動部５８からＴＦＴ５２までの箇所、及び、ＴＦＴ５２からＡ／Ｄ変換器７０までの箇所は、各画素５０から電荷（電気信号）を読み出し、読み出した電荷を放射線画像情報として取得する読取回路（読出部）６９を構成する。
【００２１】
さらに、放射線検出カセッテ１０のカセッテ制御部４６は、図１に示すように、アドレス信号発生部８２と、画像メモリ８４と、カセッテＩＤメモリ８６とを備える。
【００２２】
アドレス信号発生部８２は、放射線検出器４０を構成するライン走査駆動部５８のアドレスデコーダ６０及びマルチプレクサ６６のアドレスデコーダ６８に対してアドレス信号を供給する。画像メモリ８４は、放射線検出器４０によって検出された放射線画像情報を記憶する。カセッテＩＤメモリ８６は、放射線検出カセッテ１０を特定するためのカセッテＩＤ情報を記憶する。
【００２３】
送受信機４８は、カセッテＩＤメモリ８６に記憶されたカセッテＩＤ情報及び画像メモリ８４に記憶された放射線画像情報を無線通信によりコンソール２０に送信する。
【００２４】
本実施形態に係る放射線検出カセッテ１０及び放射線画像撮影システム１２は、基本的には以上のように構成されるものであり、次にその動作について説明する。
【００２５】
撮影対象である患者１８の患者情報は、撮影に先立ち、コンソール２０に予め登録される。撮影部位や撮影方法が予め決まっている場合には、これらの撮影条件も予め登録しておく。
【００２６】
放射線画像情報の撮影を行う場合、医師又は放射線技師がハンドル３７を引き降ろしてロール状のスクリーン２８を収納ボックス３０から引き出すことにより、スクリーン２８の照射面３２は、ウェイトバー３９並びに該ウェイトバー３９に収納されたバッテリ４４、カセッテ制御部４６及び送受信機４８の重みによって、上下方向に沿い略平面状に展開される。次に、医師又は放射線技師は、平面状のスクリーン２８の照射面３２に対向するように患者１８を立位させ、さらに、放射線源１６をスクリーン２８の照射面３２に対向する位置に適宜移動させた後、放射線源１６の撮影スイッチを操作して患者１８に対する立位撮影を行う。
【００２７】
前記撮影スイッチの操作に起因して、放射線源１６は、無線通信により、コンソール２０に対して撮影条件の送信を要求し、コンソール２０は、受信した前記要求に基づいて、当該患者１８の撮影部位に係る撮影条件を、放射線源１６に送信する。放射線源１６は、前記撮影条件を受信すると、当該撮影条件に従って、所定の線量からなる放射線１４を患者１８に照射する。
【００２８】
患者１８を透過した放射線１４は、放射線検出カセッテ１０のグリッド３４によって散乱線が除去された後、放射線検出器４０に照射される。放射線検出器４０を構成するシンチレータ７２は、放射線１４の強度に応じた強度の可視光を発光し、光電変換層７６を構成する各画素５０は、可視光を電気信号に変換し、電荷として蓄積する。次いで、各画素５０に保持された患者１８の放射線画像情報である電荷情報は、カセッテ制御部４６を構成するアドレス信号発生部８２からライン走査駆動部５８及びマルチプレクサ６６に供給されるアドレス信号に従って読み出される。
【００２９】
すなわち、ライン走査駆動部５８のアドレスデコーダ６０は、アドレス信号発生部８２から供給されるアドレス信号に従って選択信号を出力してスイッチＳＷ１の１つを選択し、対応するゲート線５４に接続されたＴＦＴ５２のゲートに制御信号Ｖｏｎを供給する。一方、マルチプレクサ６６のアドレスデコーダ６８は、アドレス信号発生部８２から供給されるアドレス信号に従って選択信号を出力してスイッチＳＷ２を順次切り替え、ライン走査駆動部５８によって選択されたゲート線５４に接続された各画素５０に保持された電荷情報である放射線画像情報を信号線５６を介して順次読み出す。
【００３０】
放射線検出器４０の選択されたゲート線５４に接続された各画素５０から読み出された放射線画像情報は、各増幅器６２によって増幅された後、各サンプルホールド回路６４によってサンプリングされ、マルチプレクサ６６を介してＡ／Ｄ変換器７０に供給され、デジタル信号に変換される。デジタル信号に変換された放射線画像情報は、カセッテ制御部４６の画像メモリ８４に一旦記憶される。
【００３１】
同様にして、ライン走査駆動部５８のアドレスデコーダ６０は、アドレス信号発生部８２から供給されるアドレス信号に従ってスイッチＳＷ１を順次切り替え、各ゲート線５４に接続されている各画素５０に保持された電荷情報である放射線画像情報を信号線５６を介して読み出し、マルチプレクサ６６及びＡ／Ｄ変換器７０を介してカセッテ制御部４６の画像メモリ８４に記憶させる。
【００３２】
画像メモリ８４に記憶された放射線画像情報は、送受信機４８を介して、無線通信によりコンソール２０に送信される。コンソール２０は、受信した放射線画像情報に対して所定の画像処理を施した後、登録されている患者１８の患者情報と関連付けて該放射線画像情報を記憶する。なお、画像処理の施された放射線画像情報は、コンソール２０から表示装置２２に送信され、表示装置２２は、放射線画像情報を表示する。
【００３３】
患者１８に対する立位撮影の完了後、医師又は放射線技師によるハンドル３７の操作によって、スクリーン２８は、巻取軸３６にロール状に巻き取られて収納ボックス３０内に収納される。
【００３４】
以上説明したように、本実施形態に係る放射線検出カセッテ１０及び放射線画像撮影システム１２によれば、患者１８に対する放射線１４の非照射時（非撮影時）には、可撓性を有する放射線検出器４０をロール状にして収納ボックス３０内に収納し、一方で、患者１８に対する放射線１４の照射時（撮影時）には、放射線検出器４０を収納ボックス３０から引き出し、患者１８に対して放射線検出器４０を平面状に展開するので、放射線検出器４０の非撮影時での保管が容易になると共に、撮影時に放射線検出器４０の照射面（撮影面）３２を容易に平面状にすることができる。
【００３５】
また、収納ボックス３０に収納可能なスクリーン２８に放射線検出器４０を内蔵させ、スクリーン２８の基端部を巻取軸３６に取り付け、一方で、スクリーン２８の先端部をウェイトバー３９に取り付けることにより、収納ボックス３０からスクリーン２８を引き出したときに、ウェイトバー３９の重みによりスクリーン２８を上下方向に沿って容易に平面状にすることができるので、本実施形態は、患者１８に対する立位撮影に好適である。
【００３６】
さらに、ウェイトバー３９にバッテリ４４、カセッテ制御部４６及び送受信機４８を内蔵することにより、ウェイトバー３９、バッテリ４４、カセッテ制御部４６及び送受信機４８の重みによりスクリーン２８を上下方向に沿って確実に平面状にすることができるので、患者１８に対する立位撮影を精度よく且つ確実に行うことができる。
【００３７】
さらにまた、基板７１上にシンチレータ７２、ＴＦＴ層７４、光電変換層７６の順に積層され（照射面３２に対して光電変換層７６、ＴＦＴ層７４及びシンチレータ７２の順に配置され）ているので、シンチレータ７２で発生した可視光を、光電変換層７６にて効率よく電気信号に変換することができ、この結果、高画質の放射線画像情報を得ることができる。
【００３８】
さらに、本実施形態では、コンソール２０と、放射線検出カセッテ１０、放射線源１６及び表示装置２２との間で、無線通信により信号の送受信が行われるので、信号を送受信するためのケーブルが不要となり、医師又は放射線技師の作業に支障を来すおそれがない。従って、医師又は放射線技師は、自己の作業を効率よく行うことが可能となる。
【００３９】
さらにまた、本実施形態では、医師又は放射線技師による放射線源１６の撮影スイッチの操作に起因して放射線画像情報の撮影が行われるが、医師又は放射線技師によるコンソール２０の操作に起因して放射線画像情報の撮影が行われるようにしてもよい。
【００４０】
さらにまた、本実施形態では、放射線検出カセッテ１０を図６の構成に代えてもよい。図６では、基板７１から照射面３２側に向かって、ＴＦＴ層７４、光電変換層７６及びシンチレータ７２の順に積層されている。この場合でも、シンチレータ７２で変換された可視光を光電変換層７６にて電気信号に変換することが可能であるので、上述した各効果が得られることは勿論である。
【００４１】
さらにまた、本実施形態では、上述した構成に代えて、例えば、入射した放射線１４の線量をアモルファスセレン（ａ−Ｓｅ）等の物質からなる固体検出素子を用いた光電変換層によって直接電気信号に変換してもよい。
【００４２】
また、光読出方式の放射線検出器を利用して放射線画像情報を取得することもできる。この光読出方式の放射線検出器では、マトリクス状に配列された各固体検出素子に放射線が入射すると、その線量に応じた静電潜像が固体検出素子に蓄積記録される。静電潜像を読み取る際には、放射線検出器に可撓性を有する有機ＥＬ（Ｅｌｅｃｔｒｏ−Ｌｕｍｉｎｅｓｃｅｎｃｅ）パネル等から読取光を照射し、発生した電流の値を放射線画像情報として取得する。なお、放射線検出器は、消去光を放射線検出器に照射することで、残存する静電潜像である放射線画像情報を消去して再使用することができる（特開２０００−１０５２９７号公報参照）。
【００４３】
さらに、本実施形態では、蛍光体に放射線画像情報としての放射線エネルギを蓄積し、励起光を照射することで前記放射線画像情報を輝尽発光光として取り出すことのできる蓄積性蛍光体パネルを、可撓性を有する放射線変換パネルとして構成してもよい。
【００４４】
さらにまた、放射線検出カセッテ１０は、手術室等で使用されるとき、血液やその他の雑菌が付着するおそれがある。そこで、放射線検出カセッテ１０を防水性、密閉性を有する構造とし、必要に応じて殺菌洗浄することにより、１つの放射線検出カセッテ１０を繰り返し続けて使用することができる。
【００４５】
また、放射線検出カセッテ１０と外部機器との間での無線通信は、通常の電波による通信に代えて、赤外線等を用いた光無線通信で行うようにしてもよい。
【００４６】
さらに、図７に示すように放射線検出カセッテ５００を構成すると、一層好適である。
【００４７】
すなわち、放射線検出カセッテ５００には、スクリーン２８の照射面３２側に、撮影領域及び撮影位置の基準となるガイド線５０４が形成される。このガイド線５０４を用いて、放射線検出カセッテ５００に対する被写体（患者１８）の位置決めを行い、また、放射線１４の照射範囲を設定することにより、放射線画像情報を適切な撮影領域に記録することができる。
【００４８】
放射線検出カセッテ５００の撮影領域外の部位（収納ボックス３０）には、当該放射線検出カセッテ５００に係る各種情報を表示する表示部５０６を配設する。この表示部５０６には、放射線検出カセッテ５００に記録される患者１８のＩＤ情報、放射線検出カセッテ５００の使用回数、累積曝射線量、放射線検出カセッテ５００に内蔵されているバッテリ４４の充電状態（残容量）、放射線画像情報の撮影条件、患者１８の放射線検出カセッテ５００に対するポジショニング画像等を表示させる。この場合、放射線技師は、例えば、表示部５０６に表示されたＩＤ情報に従って患者１８を確認すると共に、当該放射線検出カセッテ５００が使用可能な状態にあることを事前に確認し、表示されたポジショニング画像に基づいて患者１８の所望の撮影部位を放射線検出カセッテ５００に位置決めして、最適な放射線画像情報の撮影を行うことができる。
【００４９】
また、収納ボックス３０にハンドル部５０８を形成することにより、当該放射線検出カセッテ５００の取扱い、持ち運びが容易になる。
【００５０】
ウェイトバー３９には、ＡＣアダプタの入力端子５１０と、外部機器との間で情報の送受信が可能なインターフェース手段としてのＵＳＢ（Ｕｎｉｖｅｒｓａｌ  Ｓｅｒｉａｌ  Ｂｕｓ）端子５１２及びメモリカード５１４を装填するためのカードスロット５１６とを配設すると好適である。
【００５１】
入力端子５１０は、放射線検出カセッテ５００に内蔵されているバッテリ４４の充電機能が低下しているとき、あるいは、バッテリ４４を充電するのに十分な時間を確保できないとき、ＡＣアダプタを接続して外部から電力を供給することにより、当該放射線検出カセッテ５００を直ちに使用可能な状態とすることができる。
【００５２】
ＵＳＢ端子５１２又はカードスロット５１６は、放射線検出カセッテ５００がコンソール２０等の外部機器との間で無線通信による情報の送受信を行うことができないときに利用することができる。すなわち、ＵＳＢ端子５１２にケーブルを接続することにより、外部機器との間で有線通信による情報の送受信を行うことができる。また、カードスロット５１６にメモリカード５１４を装填し、このメモリカード５１４に必要な情報を記録した後、メモリカード５１４を取り出して外部機器に装填することにより、情報の送受信を行うことができる。
【００５３】
手術室や病院内の必要な箇所には、図８に示すように、放射線検出カセッテ１０に内蔵されるバッテリ４４の充電を行うクレードル５１８を配置すると好適である。この場合、クレードル５１８は、ケーブル５２２を介してバッテリ４４を充電するだけでなく、クレードル５１８の無線通信機能又は有線通信機能を用いて、ＲＩＳ２４、ＨＩＳ２６、コンソール２０等の外部機器との間で必要な情報の送受信を行うようにしてもよい。送受信する情報には、クレードル５１８に充電される放射線検出カセッテ１０に記録された放射線画像情報を含めることができる。従って、この場合、送受信機４８とクレードル５１８との間では、無線通信により情報の送受信が行われる。
【００５４】
また、クレードル５１８に表示部５２０を配設し、この表示部５２０に対して、当該放射線検出カセッテ１０の充電状態や、放射線検出カセッテ１０から取得した放射線画像情報を含む必要な情報を表示させるようにしてもよい。
【００５５】
さらに、図８において、クレードル５１８は、スクリーン２８が巻取軸３６に巻き取られて収納ボックス３０に収納されているときに、バッテリ４４への充電を行う。すなわち、クレードル５１８は、スクリーン２８が収納ボックス３０に収納されたことを検出したときに、バッテリ４４への充電を開始すると共に、バッテリ４４から放射線検出器４０、カセッテ制御部４６及び送受信機４８への電力供給を停止させることができる。勿論、充電中であっても、バッテリ４４から放射線検出器４０、カセッテ制御部４６及び送受信機４８に電力供給を行うことは可能である。
【００５６】
また、図９に示すように、ウェイトバー３９に電源スイッチ５２４を設けてもよい。この場合、医師又は放射線技師による電源スイッチ５２４の操作に起因して、バッテリ４４から放射線検出器４０、カセッテ制御部４６及び送受信機４８への電力供給が開始又は停止される。クレードル５１８は、電源スイッチ５２４の操作によるバッテリ４４から放射線検出器４０、カセッテ制御部４６及び送受信機４８への電力供給の停止に起因して、バッテリ４４への充電を開始する。すなわち、図９では、スクリーン２８の収納ボックス３０への収納に関わりなく、バッテリ４４を充電することが可能である。勿論、電源スイッチ５２４の操作に関わりなく、クレードル５１８からバッテリ４４に充電を行ってもよい。
【００５７】
また、図８及び図９のクレードル５１８について、複数のクレードル５１８をネットワークに接続し、各クレードル５１８に充電されている放射線検出カセッテ１０の充電状態をネットワークを介して収集し、使用可能な充電状態にある放射線検出カセッテ１０の所在を確認できるように構成することもできる。
【００５８】
なお、本発明に係る放射線検出装置及び放射線画像撮影システムは、上述の実施の形態に限らず、本発明の要旨を逸脱することなく、種々の構成を採り得ることは勿論である。
【図面の簡単な説明】
【００５９】
【図１】本実施形態の放射線画像撮影システムの構成ブロック図である。
【図２】図２Ａは、撮影時の放射線検出カセッテの側面図であり、図２Ｂは、非撮影時の放射線検出カセッテの側面図である。
【図３】図１の放射線検出カセッテの構成図である。
【図４】図３のＩＶ−ＩＶ線に沿った断面図である。
【図５】図１の放射線検出器の回路構成ブロック図である。
【図６】図３のＶＩ−ＶＩ線に沿った断面図である。
【図７】放射線検出カセッテの他の構成図である。
【図８】放射線検出カセッテの充電を行うクレードルの構成図である。
【図９】放射線検出カセッテの充電を行うクレードルの構成図である。
【符号の説明】
【００６０】
１０…放射線検出カセッテ
１２…放射線画像撮影システム
１４…放射線
１６…放射線源
１８…患者
２８…スクリーン
３０…収納ボックス
３２…照射面
３６…巻取軸
３９…ウェイトバー
４０…放射線検出器
４４…バッテリ
４６…カセッテ制御部
４８…送受信機
６９…読出回路
７２…シンチレータ
７４…ＴＦＴ層
７６…光電変換層
【図１】
2010075439.tif 000003
【図２】
2010075439.tif 000004
【図３】
2010075439.tif 000005
【図４】
2010075439.tif 000006
【図５】
2010075439.tif 000007
【図６】
2010075439.tif 000008
【図７】
2010075439.tif 000009
【図８】
2010075439.tif 000010
【図９】
2010075439.tif 000011